(57)【要約】【課題】書き込みパルス電圧の印加のタイミングに差を設けることなく、各データ電極群に印加される電圧の差によって、書き込み放電を確実に分離して発生させることができ、書き込み期間の放電に際して走査電極に流れる放電電流のピーク値を十分に抑えて各放電セルへの印加電圧を安定させ、安定な書き込み放電を実現する。【解決手段】複数の対となる走査電極および維持電極が配列された基板と、前記走査電極および前記維持電極と直交するように複数のデータ電極が配列された基板とを対向配置して構成したプラズマディスプレイパネルの駆動方法において、前記データ電極を少なくとも２つのデータ電極群に分け、各データ電極群それぞれに印加されるデータ電圧を異なるように設定することを特徴とする。【選択図】図４
2008015058.tif 000002
【特許請求の範囲】
【請求項１】
複数の対となる走査電極および維持電極が配列された基板と、複数のデータ電極が配列された基板とを、前記走査電極および前記維持電極と前記データ電極が直交するように対向配置して構成したプラズマディスプレイパネルの駆動方法において、前記データ電極を少なくとも２つのデータ電極群に分け、各データ電極群それぞれに印加するデータ電圧を異なるように設定することを特徴とするプラズマディスプレイパネルの駆動方法。
【請求項２】
前記データ電極群それぞれに印加される前記データ電圧を前記走査電極の引き出し線に近い方から高く設定することを特徴とする請求項１に記載のプラズマディスプレイパネルの駆動方法。
【請求項３】
前記走査電極の点灯するサブフィールドの割合を検出し、前記点灯するサブフィールドの割合に応じて、前記データ電極を少なくとも２つのデータ電極群に分け、各データ電極群それぞれに印加するデータ電圧を異なるように設定することを特徴とする請求項１または請求項２に記載のプラズマディスプレイパネルの駆動方法。
【発明の詳細な説明】
【技術分野】
【０００１】
本発明はプラズマディスプレイパネルの駆動方法に関するものである。
【背景技術】
【０００２】
一般的なプラズマディスプレイパネル（以下、ＰＤＰとする）は、面放電を行う走査電極および維持電極を配列して形成したガラス基板からなる前面板と、データ電極を配列して形成したガラス基板からなる背面板とを、両電極がマトリックスを組むように、しかも間隙に放電空間を形成するように平行に対向配置し、その外周部をガラスフリット等の封着材によって封着することにより構成されている。そして、基板間には、隔壁によって区画された放電セルが設けられ、この隔壁間のセル空間に蛍光体層が形成された構成である。このような構成のＰＤＰにおいては、ガス放電により紫外線を発生させ、この紫外線で赤色（Ｒ）、緑色（Ｇ）および青色（Ｂ）の各色の蛍光体を励起して発光させることによりカラー表示を行っている。
【０００３】
このＰＤＰは、１フィールド期間を複数のサブフィールドに分割し、発光させるサブフィールドの組み合わせによって駆動し階調表示を行う。各サブフィールドは初期化期間、書き込み期間および維持期間からなる。画像データを表示するためには、初期化期間、書き込み期間および維持期間でそれぞれ異なる信号波形を各電極に印加している。
【０００４】
初期化期間には、例えば、正のパルス電圧を全ての走査電極に印加し、走査電極および維持電極を覆う誘電体層上の保護層および蛍光体層上に必要な壁電荷を蓄積する。加えて、放電遅れを小さくして書き込み放電を安定して発生させるためのプライミング（放電のための起爆剤＝励起粒子）を発生させるという働きを持つ。
【０００５】
書き込み期間では、全ての走査電極に順次負の走査パルスを印加することによって走査を行う。そして、走査電極を走査している間に、表示データにもとづきデータ電極に正の書き込みパルス電圧を印加する。こうして走査電極とデータ電極との間に書き込み放電が発生し、走査電極上の保護層の表面に壁電荷が形成される。このとき、書き込み放電を発生させる表示セルを構成する全てのデータ電極に同時に書き込み電圧が印加されるので、１本の走査電極上では、発生させるべき全ての書き込み放電が一度に発生する。
【０００６】
続く維持期間では、一定の期間、走査電極と維持電極との間に放電を維持するのに十分な電圧を印加する。これにより、走査電極と維持電極との間に放電プラズマが生成され、一定の期間、蛍光体層を励起発光させる。このとき、書き込み期間において書き込みパルス電圧が印加されなかった放電空間では、放電は発生せず蛍光体層の励起発光は起こらない。
【０００７】
このようなＰＤＰでは、書き込み期間における書き込み放電に大きな放電遅れが発生し、書き込み動作が不安定になる恐れがあるといった課題があった。
【０００８】
これらの課題を解決するために、データ電極を少なくとも２つのデータ電極群に分割し、書き込み期間におけるデータ電極への書き込み電圧の印加のタイミングに、それらデータ電極群の間で時間差を設ける技術が提案されている（例えば、特許文献１を参照）。
【０００９】
この技術では、書き込み期間におけるデータ電極への書き込みパルス電圧の印加のタイミングに時間差を設け、各データ電極群における書き込み放電の発生にそれぞれ時間差を持たせることで、書き込み放電に際して走査電極に発生する放電電流を分散させている。そうすることで、１本の走査電極上において一度に全ての書き込み放電を発生させる場合と比較して、走査電極に流れる放電電流のピーク値を抑えることができる。したがって、走査電極を駆動する回路や走査電極を形成する金属線等に存在するインピーダンスによって発生する電圧効果を抑えて各放電セルへの印加電圧を安定させ、安定な放電を実現することができる。
【特許文献１】特開平８−３０５３１９号公報
【発明の開示】
【発明が解決しようとする課題】
【００１０】
しかしながら、上述した従来技術においては、放電電流のピーク値を十分に低減させるために書き込み放電を確実に分離して発生させなければならない。そのためには、各データ電極群それぞれへの書き込みパルス電圧の印加のタイミングに十分な時間差を設けなければならず、そのため書き込み時間が長く設定され、書き込み期間に費やす時間が大きくなるといった課題があった。
【００１１】
特に、高精細化されたＰＤＰにおいては、走査電極数の増加によって書き込み期間に費やす時間が長くなり、その分維持期間に費やす時間を減らさなければならず、輝度の確保が難しいという課題が生じる。したがって、そのようなＰＤＰにおいては、できるだけ書き込み時間を短縮し、維持期間に費やす時間を確保しなければならない。
【課題を解決するための手段】
【００１２】
このような課題を解決するために、本発明のＰＤＰの駆動方法は、複数の対となる走査電極および維持電極が配列された基板と、複数のデータ電極が配列された基板とを、前記走査電極および前記維持電極と前記データ電極が直交するように対向配置して構成したＰＤＰの駆動方法であって、前記データ電極を少なくとも２つのデータ電極群に分け、各データ電極群それぞれに印加するデータ電圧を異なるように設定することを特徴とする。
【００１３】
また、前記データ電極群それぞれに印加される前記データ電圧を前記走査電極の引き出し線に近い方から高く設定しても良い。
【００１４】
また、前記走査電極の点灯するサブフィールドの割合を検出し、前記点灯するサブフィールドの割合に応じて、前記データ電極を少なくとも２つのデータ電極群に分け、各データ電極群それぞれに印加するデータ電圧を異なるように設定することを特徴としても良い。
【発明の効果】
【００１５】
本発明によれば、ＰＤＰにおいてデータ電極を少なくとも２つのデータ電極群に分けて駆動を行う場合に、各データ電極群それぞれに印加されるデータ電圧を異なるように設定することで、書き込みパルス電圧の印加のタイミングに時間差を設けることなく、各データ電極群に印加される電圧の差によって、書き込み放電を確実に分離して発生させることができ、書き込み期間の放電に際して走査電極に流れる放電電流のピーク値を十分に抑えて各放電セルへの印加電圧を安定させ、安定な書き込み放電を実現することができる。
【発明を実施するための最良の形態】
【００１６】
以下、本発明の一実施の形態におけるＰＤＰの駆動方法について、図面を用いて説明する。
【００１７】
（実施の形態１）
図１は本発明の実施の形態１に用いるＰＤＰの要部を示す斜視図である。ＰＤＰ１は、ガラス製の前面基板２と背面基板３とを対向配置して、その間に放電空間を形成するように構成されている。
【００１８】
前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。保護層７としては安定した放電を発生させるために二次電子放出係数が大きくかつ耐スパッタ性の高い材料が望ましく、酸化マグネシウム（ＭｇＯ）薄膜が用いられている。
【００１９】
背面基板３上には絶縁体層８で覆われた複数のデータ電極９が付設され、データ電極９の間の絶縁体層８上にデータ電極９と平行して隔壁１０が設けられている。また、絶縁体層８の表面および隔壁１０の側面に蛍光体１１が設けられている。そして、走査電極４および維持電極５とデータ電極９とが交差するように前面基板２と背面基板３とを対向配置しており、その間に形成される放電空間には、放電ガスとしてたとえばネオンとキセノンの混合ガスが封入されている。
【００２０】
図２は図１に示したＰＤＰ１の電極配列図である。行方向（または水平方向）にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向（または垂直方向）に（ｋ＋ｍ）列のデータ電極Ｄ１１〜Ｄ１ｋ、Ｄ２１〜Ｄ２ｍ（図１のデータ電極９）が配列されている。
【００２１】
そして、一対の走査電極ＳＣＮｉ、維持電極ＳＵＳｉ（ｉ＝１〜ｎ）と１つのデータ電極Ｄｊ（Ｄｊ＝Ｄ１１〜Ｄ１ｋ、Ｄ２１〜Ｄ２ｍ）とを含む放電セルＣｉｊが放電空間内に形成され、放電セルＣの総数は（（ｋ＋ｍ）×ｎ）個になる。このような構成のＰＤＰにおいては、ガス放電により紫外線を発生させ、この紫外線でＲ、Ｇ、Ｂの各色の蛍光体を励起して発光させることによりカラー表示を行っている。
【００２２】
図３は図１、図２に示したＰＤＰ１を用いて構成したプラズマディスプレイ装置の回路構成図である。このプラズマディスプレイ装置は、ＰＤＰ１、データ電極駆動回路１２、走査電極駆動回路１３、維持電極駆動回路１４、タイミング発生回路１５、Ａ／Ｄ（アナログ／デジタル）変換部１６、走査線変換部１７、ＳＦ（サブフィールド）変換部１８および電源回路（図示せず）を備えており、さらにデータ電極駆動回路１２の中に、第１データ電極電圧回路１９と第２データ電極電圧回路２０を備えている。
【００２３】
図３において、映像信号ｓｉｇはＡ／Ｄ変換部１６に入力される。また、水平同期信号Ｈおよび垂直同期信号Ｖはタイミング発生回路１５、Ａ／Ｄ変換部１６、走査線変換部１７、ＳＦ変換部１８に入力される。Ａ／Ｄ変換部１６は、映像信号ｓｉｇをデジタル信号の画像データに変換し、その画像データを走査線変換部１７に出力する。走査線変換部１７は、画像データをＰＤＰ１の画素数に応じた画像データに変換し、ＳＦ変換部１８に出力する。
【００２４】
ＳＦ変換部１８は、各画素の画像データを複数のサブフィールドに対応する複数のビットに分割し、サブフィールド毎の画像データをデータ電極駆動回路１２、タイミング発生回路１５に出力する。データ電極駆動回路１２は、サブフィールド毎の画像データを各データ電極Ｄ１１〜Ｄ１ｋ、Ｄ２１〜Ｄ２ｍに対応する信号に変換し、各データ電極Ｄ１１〜Ｄ１ｋ、Ｄ２１〜Ｄ２ｍを駆動する。このとき、データ電極Ｄ１１〜Ｄ１ｋのデータ電極群とデータ電極Ｄ２１〜Ｄ２ｍのデータ電極群は、データ電極駆動回路１２の中にある第１データ電極電圧回路１９と第２データ電極電圧回路２０によって、異なるデータ電圧で駆動ができる。
【００２５】
タイミング発生回路１５は、サブフィールド毎の画像データ、水平同期信号Ｈ、垂直同期信号Ｖおよび最終パルス間隔の設定値をもとにしてタイミング信号を発生し、各々走査電極駆動回路１３および維持電極駆動回路１４に出力する。また、走査電極駆動回路１３は、タイミング信号に基づいて走査電極ＳＣＮ１〜ＳＣＮｎに駆動波形を供給し、維持電極駆動回路１４は、タイミング信号に基づいて維持電極ＳＵＳ１〜ＳＵＳｎに駆動波形を供給する。
【００２６】
次に、ＰＤＰ１を駆動するための駆動波形とその動作について説明する。図４は、本発明の実施の形態１におけるＰＤＰ１のデータ電極、走査電極および維持電極に印加する駆動波形図である。図４に示すように、１フィールド期間を複数（ここでは１０個）のサブフィールド（１ＳＦ、２ＳＦ、・・・、１０ＳＦ）に分割し、１ＳＦ〜１０ＳＦの各サブフィールドはそれぞれ（１、２、３、６、１１、１８、３０、４４、６０、８０）の輝度重みを持っている。このように、１フィールド期間において後ろに配置されたサブフィールドほど輝度重みが大きくなるように構成している。ただし、サブフィールド数や各サブフィールドの輝度重みが上記の値に限定されるものではない。
【００２７】
各サブフィールドはそれぞれ、放電セルの電荷状態を初期化する初期化期間と、表示する放電セル（表示セル）を選択するための書き込み放電を行う書き込み期間と、書き込み期間で選択された放電セルで維持放電を行う維持期間とを有している。
【００２８】
また、初期化期間では、すべての放電セルに対して初期化放電を行わせる全セル初期化動作、または、直前のサブフィールドにおいて維持放電を行った放電セル（所定の放電セル）に対して初期化放電を行わせる選択初期化動作のいずれかの初期化動作を行う。初期化放電を行うことにより放電セルの電荷状態が初期化される。図４の駆動波形では、１ＳＦの初期化期間において全セル初期化動作を行い、２ＳＦ〜１０ＳＦの初期化期間において選択初期化動作を行う。
【００２９】
まず、１ＳＦの初期化期間では、すべての放電セルで一斉に初期化放電を行い、それ以前の個々の放電セルにおける壁電荷の履歴を消すとともに、次の書き込み放電を行うために必要な壁電荷を形成する。加えて、放電遅れを小さくし書き込み放電を安定して発生させるためのプライミングを発生させるという働きを持つ。すなわち、全てのデータ電極および全ての維持電極を０（接地電位）に保持し、全ての走査電極に対して放電開始電圧未満の電圧Ｖｐから、放電開始電圧を超える電圧Ｖｒに向かって緩やかに上昇するランプ電圧を印加する。
【００３０】
これにより、全ての放電セルにおいて微弱放電を起こし、維持電極上およびデータ電極上に正の壁電荷を蓄え、走査電極上に負の壁電荷を蓄える。その後、全ての維持電極を電圧Ｖｈに保ち、全ての走査電極にＶｇからＶａに向かって緩やかに下降するランプ電圧を印加することにより、全ての放電セルにおいて微弱な放電を起こし、各電極上に蓄えられた壁電荷を弱める。このような全セル初期化動作により放電セル内の電圧は放電開始電圧に近い状態となる。
【００３１】
１ＳＦの書き込み期間では、１行目の走査電極ＳＣＮ１からｎ行目の走査電極ＳＣＮｎまで順番に走査パルスを印加するとともに、所定のデータ電極Ｄｊには表示すべき映像信号に対応した書き込みパルスを印加して、表示セルにおける走査電極とデータ電極との間で選択的に書き込み放電を起こし、選択的な壁電荷形成を行う。
【００３２】
書き込み期間に続く維持期間では、まず全ての走査電極ＳＣＮ１〜ＳＣＮｎに１番目の維持パルスを印加し、次に全ての維持電極ＳＵＳ１〜ＳＵＳｎに２番目の維持パルスを印加する。そして、走査電極ＳＣＮ１〜ＳＣＮｎと維持電極ＳＵＳ１〜ＳＵＳｎに輝度重みに応じた所定の回数の維持パルスを印加することで、書き込み放電による壁電荷形成を行った放電セルにおいて選択的に維持放電を発生させ発光させる。この発光によって映像表示が行われる。図４の１ＳＦでは、走査電極と維持電極にそれぞれ１個の維持パルスが印加されている。すなわち、走査電極および維持電極に合計２個の維持パルスが印加されている。
【００３３】
２ＳＦの初期化期間では全ての維持電極ＳＵＳ１〜ＳＵＳｎを電圧Ｖｈに保持し、全てのデータ電極Ｄ１１〜Ｄ１ｋ、Ｄ２１〜Ｄ２ｍを０に保持し、全ての走査電極ＳＣＮ１〜ＳＣＮｎに電圧Ｖｂから電圧Ｖａに向かって緩やかに下降するランプ電圧を印加する。このランプ電圧が下降する間に、直前の維持期間（１ＳＦの維持期間）で維持放電を行った放電セルでは微弱放電が発生することで各電極上に形成された壁電荷が弱められ、放電セル内の電圧は放電開始電圧に近い状態となる。
【００３４】
一方、１ＳＦで書き込み放電および維持放電を行わなかった放電セルについては、２ＳＦの初期化期間において微弱放電することはなく、１ＳＦの初期化期間終了時における壁電荷状態が保たれる。
【００３５】
２ＳＦの書き込み期間および維持期間については、１ＳＦの場合と同様の波形を印加することにより、映像信号に対応した放電セルにおいて維持放電を発生させる。また３ＳＦ〜１０ＳＦについては、２ＳＦと同様の駆動波形を各電極に印加することにより、映像表示が行われる。
【００３６】
ここで、本実施の形態１では、図４に示すように、書き込み期間において、データ電極Ｄ１１〜Ｄ１ｋのデータ電極群には、電圧Ｖｋの書き込みパルスを、データ電極Ｄ２１〜Ｄ２ｍのデータ電極群には電圧Ｖｍの書き込みパルスを印加している。このように、データ電極を２群に分け、この電極群毎にデータ電圧値を変えることにより、データ電極Ｄ１１〜Ｄ１ｋのデータ電極群とデータ電極Ｄ２１〜Ｄ２ｍのデータ電極群では、書き込み放電のタイミングを異ならせることができる。ここではデータ電圧値が高い方が、書き込み放電は早くなる。
【００３７】
したがって、同一の走査電極において、各データ電極毎に書き込み放電を確実に分離して発生させることができ、書き込み期間の放電に際して走査電極に流れる放電電流のピーク値を十分に抑えて各放電セルへの印加電圧を安定させ、安定な書き込み放電を実現することができる。
【００３８】
また、上記効果をさらに向上させるためには、データ電極群それぞれに印加するデータ電圧を走査電極の引き出し線に近い方から高く設定する方が効果的である。次にその作用効果と書き込みパルスの設定手法について述べる。なお、ここで言う引き出し線とはＰＤＰ１端部に設けられた駆動回路類と接続するための端子部のことを示し、この場合は走査電極駆動回路１３に接続する端子部を示す。
【００３９】
上述したように、１本の走査電極ＳＣＮｉには（ｋ＋ｍ）本のデータ電極Ｄｊが交差している。つまり１本の走査電極ＳＣＮｉにはデータ電極Ｄｊとの放電空間を挟んだ交差領域を（ｋ＋ｍ）箇所有していることになる。ところが、それぞれの交差領域は走査電極駆動回路１３からの距離も異なっている。
【００４０】
したがって、走査電極ＳＣＮｉ上の走査電極駆動回路１３からそれぞれの交差領域までのインピーダンスは、走査電極ＳＣＮｉと他の電極との間に発生する寄生容量や走査電極ＳＣＮｉを形成する金属線そのものが有する内部抵抗等により、走査電極駆動回路１３から遠い交差領域ほど大きくなる。すなわち、走査電極駆動回路１３から遠くにある交差領域ほど書き込み放電時に発生する放電電流による電圧降下が大きくなりやすい。電圧降下が大きくなれば放電セルに印加される電圧が下がって放電が不安定となり、放電の遅れも大きくなる。
【００４１】
よって、走査電極の引き出し部に近い方からデータ電極群の書き込みパルス電圧を高く設定することで、走査電極の引き出し部に近い方のデータ電極群の書き込み放電のタイミングをより早くすることができ、逆に走査電極の引き出し部から遠い方のデータ電極群の書き込み放電のタイミングは、書き込みパルス電圧が低いためと、書き込み放電の放電電流の電圧降下のために、より遅くすることができる。
【００４２】
このようにして走査電極の引き出し部に近い方からデータ電極群の書き込みパルス電圧を高く設定することで、より確実に、効率的に書き込み放電を確実に分離して発生させることができる。
【００４３】
このように、データ電極を少なくとも２つのデータ電極群に分けて駆動を行う場合に、各データ電極群それぞれに印加されるデータ電圧を異なるように設定し、また、その電圧設定を走査電極の引き出し部に近い方からデータ電圧を高く設定することで、書き込みパルス電圧の印加のタイミングに差を設けることなく、各データ電極群に印加される電圧の差によって、書き込み放電を確実に分離して発生させることができ、書き込み期間の放電に際して走査電極に流れる放電電流のピーク値を十分に抑えて各放電セルへの印加電圧を安定させ、安定な書き込み放電を実現することができる。
【００４４】
なお、上記の例ではデータ電極をＤ１１〜Ｄ１ｋとＤ２１〜Ｄ２ｍの２つのデータ電極群で、書き込みパルスの電圧をＶｋとＶｍの２種類に設定したが、データ電極を２群以上に設定し、それぞれに異なる書き込みパルスの電圧を設定しても、同様の効果が得られる。
【００４５】
また本実施の形態では、書き込みパルスの電圧ＶｋとＶｍの差を５Ｖ程度に設定することで、書き込み放電を確実に分離して発生させることができ、放電電流のピーク値を抑えることができたが、この差分の設定値は、画像表示エリアの大きさ及び各電極の抵抗値によって適宜設定することが必要である。
【００４６】
（実施の形態２）
次に本実施の形態２について説明する。図５は本発明の実施の形態２におけるプラズマディスプレイ装置の構成図である。このプラズマディスプレイ装置は、実施の形態１に示したパネル１、データ電極駆動回路１２、走査電極駆動回路１３、維持電極駆動回路１４、タイミング発生回路１５、Ａ／Ｄ（アナログ／デジタル）変換部１６、走査線変換部１７、ＳＦ（サブフィールド）変換部１８、電源回路（図示せず）、データ電極駆動回路１２内の第１データ電極電圧回路１９と第２データ電極電圧回路２０に加えて、走査線方向の点灯するサブフィールドを検出するための走査線方向点灯ＳＦ検出部２１を備えている。
【００４７】
本実施の形態２では、走査線方向点灯ＳＦ検出部２１によって、ある同一の走査電極ＳＣＮｉにおいて点灯するサブフィールドの割合を検出し、あるしきい値を越えた場合、あるいはこの割合が大きくなるに伴い、データ電極を２つ以上のデータ電極群に分けて駆動を行い、各データ電極群それぞれに印加するデータ電圧を異なるように設定することができる。
【００４８】
つまり、同一の走査電極において点灯するサブフィールドの割合が大きい時ということは、その走査電極のある１フィールドでの書き込み期間において書き込み放電を行うセルが多いということであり、この場合は走査電極に流れる放電電流のピーク値も大きくなる。このような場合は、それぞれのデータ電極群に異なるデータ電圧を与えることによって、書き込み放電を確実に分離して発生させ、ピーク電流および電圧降下量を抑えることができる。
【００４９】
一方で、点灯するサブフィールドの割合が小さい時、すなわち書き込み放電を行うセルが少ない時はそれぞれのデータ電極群に異なるデータ電圧を与えて、書き込み放電を分離させる必要はなく、低く設定したデータ電圧１種類のみを印加しておけばよい。これによって消費電力を小さく抑えることができる。
【００５０】
すなわち走査線方向点灯ＳＦ検出部２１は、各走査電極および各フィールドに対して、点灯するサブフィールドの割合の検出を行い、書き込み電圧を変化させる。これについて図６、図７を用いて説明する。
【００５１】
図６は走査線方向点灯ＳＦ検出部２１によって点灯するサブフィールドの割合を検出された走査電極に印加される駆動波形を示している。また図７は各データ電極群でデータ電圧を変化させる必要がある画像表示パターンの例を示している。
【００５２】
図６において点灯するサブフィールドの割合が大きい走査電極をＳＣＮｒ、点灯するサブフィールドの割合が小さい走査電極をＳＣＮｓとする。また図７（ａ）において、その点灯するサブフィールドの割合が大きい走査電極ＳＣＮｒによって点灯される画像表示パターンの例と割合が小さい走査電極ＳＣＮｓによって点灯される画像表示パターンの例を示す。
【００５３】
そして、上述したように点灯するサブフィールドの割合が大きい走査電極ＳＣＮｒでは、この割合が走査線方向点灯ＳＦ検出部２１によって検出され、データ電極Ｄ１１〜Ｄ１ｋには電圧Ｖｋｒが、データ電極Ｄ２１〜Ｄ２ｍには電圧Ｖｍが印加される。一方、点灯するサブフィールドの割合が小さい走査電極ＳＣＮｓでは、データ電極Ｄ１１〜Ｄ１ｋには電圧Ｖｋｓが、データ電極Ｄ２１〜Ｄ２ｍには電圧Ｖｍが印加される。ここで、電圧Ｖｋｒ、電圧Ｖｋｓ、電圧Ｖｍの値の大小関係は、Ｖｋｒ＞Ｖｋｓ＝Ｖｍであり、ＶｋｒとＶｋｓ、Ｖｍとの電圧値の差は５Ｖとした。
【００５４】
これによって、画像表示パターン、すなわち点灯するサブフィールドの割合の大きさに応じて、各データ電極群に印加される電圧を変化させることによって、書き込み放電を確実に分離して発生させることができ、書き込み期間の放電に際して走査電極に流れる放電電流のピーク値を十分に抑えて各放電セルへの印加電圧を安定させ、安定な書き込み放電を実現することができる。
【００５５】
また図５にて示したように、各走査電極は走査電極駆動回路１３に一括して配線されている。このためピーク電流および電圧降下量は、本実施の形態で記したように各走査電極の配線方向の点灯するサブフィールドの割合の大きさだけでなく、すべての走査電極における点灯するサブフィールドの割合、すなわち画像表示領域全体における点灯するサブフィールドの大きさによっても変化する。
【００５６】
ここで図７（ｂ）に本実施の形態においてデータ電極群毎にデータ電圧を変化させる必要がある画像表示パターンの例を示す。このように各走査電極においては、点灯するサブフィールドの割合が小さく、データ電極群毎にデータ電圧を変化させる必要がない場合でも、すべての走査電極が同様の画像表示パターンであるために、走査電極駆動回路１３でのピーク電流は、各走査電極のそれの積算となるため大きくなり、ピーク電流値および電圧降下量も増大する。そこで、このような画像表示パターンにおいてもデータ電極群毎にデータ電圧を変化させるように設定する。
【００５７】
そこで、走査線方向点灯ＳＦ検出部２１によって、各走査電極で点灯するサブフィールドの割合を測定し、さらにすべての走査電極において点灯するサブフィールドの割合も測定し、同様にあるしきい値によってデータ電極群毎にデータ電圧を変化させるかどうかを判断させる。そして、あるしきい値以上であった場合は、データ電極群毎にデータ電圧を変化させ走査電極駆動回路１３において発生するピーク電流を抑制させる。
【００５８】
このように、本実施の形態２によって書き込み期間の放電に際して走査電極に流れる放電電流のピーク値を十分に抑えて各放電セルへの印加電圧を安定させ、安定な書き込み放電を実現することができるとともに、同一の走査電極において、点灯するサブフィールドの割合が小さい時には、無駄に高いデータ電圧を印加せず、消費電力を抑えることができる。
【００５９】
なお、実施の形態１と同様に本実施の形態２においても、データ電極を２群以上に設定し、それぞれに異なる書き込みパルスの電圧を設定しても、同様の効果が得られる。
【００６０】
以上、本実施の形態１および２において記したように、ピーク電流および電圧降下量は、各表示電極の抵抗値、書き込み期間における放電の回数およびその個々の放電の大きさに依存している。すなわちパネルサイズ（画像表示領域）が大きくなるに伴い、また同一パネルサイズにおいてもより高精細になる（放電セル数が多くなる）に伴って、各表示電極におけるピーク電流値および電圧降下量は大きくなる。このため、よりパネルサイズが大きい場合、より高精細になる場合はデータ電極群の分割数を２以上にすることによって、本発明の効果をより活用できる。
【産業上の利用可能性】
【００６１】
以上のように、書き込み期間の放電に際して走査電極に流れる放電電流のピーク値を十分に抑えて各放電セルへの印加電圧を安定させ、安定な書き込み放電を実現し、良好な品質で画像表示を行うＰＤＰを提供することができる有用な発明である。
【図面の簡単な説明】
【００６２】
【図１】本発明の実施の形態１としてのプラズマディスプレイパネルの一部を断面で示す斜視図
【図２】同プラズマディスプレイパネルの電極配列図
【図３】本発明の実施の形態１としてのプラズマディスプレイ装置の構成図
【図４】本発明の実施の形態１としてのプラズマディスプレイパネルの駆動方法を示す動作駆動タイミング図
【図５】本発明の実施の形態２としてのプラズマディスプレイ装置の構成図
【図６】本発明の実施の形態２としてのプラズマディスプレイパネルの駆動方法を示す動作駆動タイミング図
【図７】本発明の実施の形態２としてのプラズマディスプレイ装置での画像表示パターン例を示す図
【符号の説明】
【００６３】
１  パネル
１２  データ電極駆動回路
１３  走査電極駆動回路
１４  維持電極駆動回路
１５  タイミング発生回路
１６  Ａ／Ｄ変換部
１７  走査線変換部
１８  ＳＦ変換部
１９  第１データ電極電圧回路
２０  第２データ電極電圧回路
【図１】
2008015058.tif 000003
【図２】
2008015058.tif 000004
【図３】
2008015058.tif 000005
【図４】
2008015058.tif 000006
【図５】
2008015058.tif 000007
【図６】
2008015058.tif 000008
【図７】
2008015058.tif 000009